(57)【要約】【課題】補助光投光装置がカメラから分離されている場合において、カメラ又は補助光投光装置の姿勢状態に関わらず、補助光投光時のＡＦを良好に行うことができるようにする。【解決手段】姿勢検出装置でカメラ１の縦位置状態を検出したときには、カメラ１が横位置（通常撮影位置）状態である場合に対して縦目ＡＦ測距点と横目ＡＦ測距点の関係を入れ替えて、ＡＦ補助光を使用する。これにより、カメラを縦位置で構えて撮影した場合であっても、スレーブストロボ装置から投光される補助光の縦／横縞パターンと、カメラの縦目／横目ＡＦ測距点との関係を自動的に補正することができ、補助光投光時のＡＦを良好に行うことができる。【選択図】図８
2010286766.tif 000002
【特許請求の範囲】
【請求項１】
離れた位置に設置された少なくとも１つの補助光投光装置により補助光を投光させて位相差検出方式の焦点検出を行う撮像装置であって、
前記補助光投光装置から補助光パターンに関する情報を取得する取得手段と、
撮像画面に対して第１の方向に設けられたラインセンサと前記第１の方向と直交する第２の方向に設けられたラインセンサの少なくとも一方を備えた焦点検出手段と、
前記撮像装置の姿勢状態を検出する姿勢検出手段と、
前記姿勢検出手段により検出された姿勢状態に基づいて、前記焦点検出で用いられる前記ラインセンサに対応した補助光パターンを判断する判断手段と、
前記判断手段により判断された補助光パターンの補助光を投光できる前記補助光投光装置に補助光の発光を指示する指示手段と、を有することを特徴とする撮像装置。
【請求項２】
前記取得手段は、前記補助光パターンに関する情報として、少なくとも前記補助光投光装置の投光する補助光の投光パターンを示す投光パターン情報を取得することを特徴とする請求項１に記載の撮像装置。
【請求項３】
前記取得手段は、前記補助光パターンに関する情報として、前記補助光投光装置の姿勢状態を示す姿勢状態情報を取得することを特徴とする請求項２に記載の撮像装置。
【請求項４】
前記判断手段により判断された補助光パターンの補助光を投光できる前記補助光投光装置が存在しない場合に警告を行う警告手段を有することを特徴とする請求項１ないし３のいずれか１項に記載の撮像装置。
【請求項５】
補助光を投光させて位相差検出方式の焦点検出を行う撮像装置と、該撮像装置と離れて設置された少なくとも１つの補助光投光装置とを含む撮像システムであって、
前記撮像装置は、
前記補助光投光装置から補助光パターンに関する情報を取得する取得手段と、
撮像画面に対して第１の方向に設けられたラインセンサと前記第１の方向と直交する第２の方向に設けられたラインセンサの少なくとも一方を備えた焦点検出手段と、
前記撮像装置の姿勢状態を検出する第１の姿勢検出手段と、
前記姿勢検出手段により検出された姿勢状態に基づいて、前記焦点検出で用いられる前記ラインセンサに対応した補助光パターンを判断する判断手段と、
前記判断手段により判断された補助光パターンの補助光を投光できる前記補助光投光装置に補助光の発光指示を行う指示手段と、を有し、
前記補助光投光装置は、
所定の投光パターンで補助光を投光する発光手段と、
補助光パターンに関する情報を前記撮像装置に伝達する伝達手段と、
前記指示手段による発光指示を受けて補助光を前記発光手段に発光させることを特徴とする撮像システム。
【請求項６】
前記補助光投光装置は、前記補助光投光装置の姿勢状態を検出する第２の姿勢検出手段を有し、前記伝達手段は、前記補助光パターンに関する情報として、前記第２の姿勢検出手段で検出された姿勢状態を示す姿勢状態情報と、前記発光手段の投光パターンを示す投光パターン情報とを前記撮像装置に伝達することを特徴とする請求項５に記載の撮像装置。
【発明の詳細な説明】
【技術分野】
【０００１】
本発明は、位相差検出方式の焦点検出を行う撮像装置及び該撮像装置と複数のストロボ装置を備えた撮影システムに関するものである。
【背景技術】
【０００２】
位相差検出方式で自動焦点調節（Auto Focus、以下ＡＦと記す）を行うＡＦカメラでは無地の被写体には合焦できないため、縞状のパターンから成るＡＦ補助光を発光させてＡＦ動作をやりやすくすることがある。
【０００３】
一般に、位相差検出方式のＡＦは２次結像面のセンサがラインセンサであるため、このラインセンサ上に明暗の特徴のある像が結ばれることにより焦点位置を検出する。ラインセンサ上に明暗の特徴がない均一の画像が結像している場合は、焦点位置を検出するために縞状のＡＦ補助光を発光させるが、この場合には、縞がラインセンサに対して垂直に結像するように発光させている。
【０００４】
従来のカメラにおいては、被写体の縦線構造のパターンである縦線パターンにしかＡＦが機能しない、或いは被写体の横線構造のパターンである横線パターンにしかＡＦが機能しないという事態を避けるため、次のような手法が提案されている。即ち、画面に対し水平方向にラインセンサを配し縦線検出に有効なＡＦ測距点（以下、横目ＡＦ測距点と記す）と画面に対し垂直方向にラインセンサを配し横線検出に有効なＡＦ測距点（以下、縦目ＡＦ測距点と記す）とを設けている。これによって、被写体の縦線パターンにも横線パターンにも、ＡＦが可能なカメラが提案されている。
【０００５】
これらのカメラでは、横目ＡＦ測距点を使用中にＡＦ補助光を発光させる場合には縦方向の縞状のパターンを持った補助光を投光しないとＡＦができないので、縦方向の縞状のパターンを持つ補助光投光装置を選択して投光させる必要がある。或いは縦目ＡＦ測距点を使用中にＡＦ補助光を発光させる場合には横方向の縞状のパターンを持った補助光を投光しないとＡＦができないので、横方向の縞状のパターンを持つ補助光投光装置を選択して投光させる必要がある。
【０００６】
また、使用中の選択測距点に適した補助光投光器が無い場合は、補助光投光を行わないといった動作をさせる必要があり、これらの内容の技術は以下の特許文献にも記載されている。
【先行技術文献】
【特許文献】
【０００７】
【特許文献１】特開平７−１９１２６０号公報
【特許文献２】特開平１１−５２２２５号公報
【発明の概要】
【発明が解決しようとする課題】
【０００８】
しかしながら、補助光投光装置をカメラから分離して用いる場合には、カメラを縦位置で撮影する場合と横位置で撮影する場合とで、補助光投光装置の補助光の縞状パターンの方向とカメラのラインセンサとの位置関係が相対的に変わってしまう。その結果、そのままでは、補助光の縞状パターンがラインセンサに対して垂直に結像しなくなり、ＡＦの機能が動作しなくなる。すなわち、選択した補助光投光装置から投光される補助光の縦／横方向の縞状パターンとカメラの縦目／横目ＡＦ測距点との関係が相対的に合わなくなり、補助光投光時のＡＦができなくなるという問題が生じていた。
【０００９】
本発明は上記従来の問題点に鑑み、撮像装置又は補助光投光装置の姿勢状態に関わらず、補助光投光時のＡＦを良好に行うことができるようにすることを目的とする。
【課題を解決するための手段】
【００１０】
上記目的を達成するために、本発明にかかる撮像装置は、離れた位置に設置された少なくとも１つの補助光投光装置により補助光を投光させて位相差検出方式の焦点検出を行う撮像装置であって、前記補助光投光装置から補助光パターンに関する情報を取得する取得手段と、撮像画面に対して第１の方向に設けられたラインセンサと前記第１の方向と直交する第２の方向に設けられたラインセンサの少なくとも一方を備えた焦点検出手段と、前記撮像装置の姿勢状態を検出する姿勢検出手段と、前記姿勢検出手段により検出された姿勢状態に基づいて、前記焦点検出で用いられる前記ラインセンサに対応した補助光パターンを判断する判断手段と、前記判断手段により判断された補助光パターンの補助光を投光できる前記補助光投光装置に補助光の発光を指示する指示手段と、を有することを特徴とする。
【００１１】
また、本発明にかかる撮像システムは、補助光を投光させて位相差検出方式の焦点検出を行う撮像装置と、該撮像装置と離れて設置された少なくとも１つの補助光投光装置とを含む撮像システムであって、前記撮像装置は、前記補助光投光装置から補助光パターンに関する情報を取得する取得手段と、撮像画面に対して第１の方向に設けられたラインセンサと前記第１の方向と直交する第２の方向に設けられたラインセンサの少なくとも一方を備えた焦点検出手段と、前記撮像装置の姿勢状態を検出する第１の姿勢検出手段と、前記姿勢検出手段により検出された姿勢状態に基づいて、前記焦点検出で用いられる前記ラインセンサに対応した補助光パターンを判断する判断手段と、前記判断手段により判断された補助光パターンの補助光を投光できる前記補助光投光装置に補助光の発光指示を行う指示手段と、を有し、前記補助光投光装置は、所定の投光パターンで補助光を投光する発光手段と、補助光パターンに関する情報を前記撮像装置に伝達する伝達手段と、前記指示手段による発光指示を受けて補助光を前記発光手段に発光させることを特徴とする。
【発明の効果】
【００１２】
本発明によれば、撮像装置又は補助光投光装置の姿勢状態に関わらず、補助光投光時のＡＦを良好に行うことが可能になる。
【図面の簡単な説明】
【００１３】
【図１ａ】実施の形態に係わる撮像システムの構成を示す模式図である。
【図１ｂ】実施の形態に係わる撮像システムの構成を示す模式図である。
【図１ｃ】実施の形態に係わる撮像システムの構成を示す模式図である。
【図２】図１中のカメラ１とストロボ装置２の構成を示す断面図である。
【図３】カメラ１とストロボ装置２の回路構成を示すブロック図である。
【図４ａ】図１中のスレーブストロボ装置の構造を示す模式図である。
【図４ｂ】図１中のスレーブストロボ装置の構造を示す模式図である。
【図５】スレーブストロボ装置の回路図である。
【図６】画面に対する測距点の位置を示す図である。
【図７ａ】実施の形態に係わるスレーブストロボ装置の動作を示すフローチャートである。
【図７ｂ】実施の形態に係わるスレーブストロボ装置の動作を示すフローチャートである。
【図８】通常撮影位置の場合のカメラの動作を示すフローチャートである。
【図９】縦位置状態である場合のカメラの動作を示すフローチャートである。
【発明を実施するための形態】
【００１４】
［実施の形態］
＜撮像システムの構成＞
図１は、本発明の実施の形態に係わる撮像システムの構成を示す模式図であり、図１（ａ）は、カメラを横位置で構えて撮影する場合を示し、図１（ｂ）は、カメラを縦位置で構えて撮影する場合を示している。また、図１（ｃ）は、カメラを横位置で構えて撮影する場合であるが、補助光投光装置が通常の撮影位置ではない場合を示している。
【００１５】
この撮像システムは、撮像装置の一例であるＡＦ一眼レフレックスカメラ１、該カメラ１に装着されているストロボ装置２と、該カメラ１から離れて設置されているストロボ装置（以後、スレーブストロボ装置と記す）３，４とを備えている。カメラ１の設置の位置状態は、通常の撮影位置である横位置状態である。
【００１６】
スレーブストロボ装置３は、スレーブストロボ装置としての機能を持つとともに、縦方向の縞状のパターン（以下、縦縞パターンと記す）５を持った補助光を投光する補助光投光装置として作用する。スレーブストロボ装置３は第１の補助光投光装置の一例である。
【００１７】
スレーブストロボ装置４は、スレーブストロボ装置としての機能を持つとともに、横方向の縞状のパターン（以下、横縞パターンと記す）６を持った補助光を投光する補助光投光装置として作用する。スレーブストロボ装置４は、第２の補助光投光装置の一例である。
【００１８】
カメラ１のＡＦは位相差検出方式を採用しており、画面に対し水平方向及び垂直方向にそれぞれラインセンサを配している。そして水平方向のラインセンサには横目ＡＦ測距点が配置され、垂直方向のラインセンサには縦目ＡＦ測距点が配置されている。これらＡＦ測距点については図６を用いて後述する。
【００１９】
撮影にあたっては、まずＡＦ動作を行って被写体７に対してピントを合わせて、その後に撮影することになるが、カメラ１は、無線通信によって、ＡＦ動作を行う前にスレーブストロボ装置３が縦縞パターンを持った補助光を投光できることを認識している。同様に、ＡＦ動作を行う前にスレーブストロボ装置４が横縞パターンを持った補助光を投光できることも認識している。
【００２０】
横目ＡＦ測距点を用いて、ピントを合わせるためのＡＦを行う場合には、縦縞パターンを持った補助光を投光する必要があるため、スレーブストロボ装置３から補助光を発光することによってＡＦが可能になる。また、縦目ＡＦ測距点を用いてＡＦを行う場合には、横縞パターンを持った補助光を投光する必要があるため、スレーブストロボ装置４から補助光を発光することによって、ＡＦが可能になる。
【００２１】
但し、外光が充分であり、被写体が無地でなく明確なコントラストを持ったものである場合であって、補助光を発光させるまでもなくＡＦができる場合であれば、補助光を発光させるには及ばない。
【００２２】
図１（ｂ）に示す例では、カメラ１が縦位置撮影を行う様子を示している点を除けば構成は図１（ａ）に示す例と同じである。即ち、カメラ１は、通常の撮影位置である横位置状態から９０度回転した縦位置状態に設置されている。
【００２３】
カメラを縦位置に構えた場合には、横目や縦目のＡＦ測距点が縦位置に構えることによって横目→縦目、縦目→横目と入れ替わってしまう。そのため、カメラを縦位置で構えて撮影した場合に、選択したスレーブストロボ装置から投光される補助光の縦／横縞パターンと、カメラの縦目／横目ＡＦ測距点との関係が相対的に合わなくなり、補助光投光時のＡＦができなくなる。そこで、カメラ１の位置状態に応じて発光させるべき補助光のパターンの縦縞と横縞を入れ替える必要がある。
【００２４】
図１（ｂ）で示している例では、横目ＡＦ測距点を用いてＡＦを行う場合には、横縞パターンを持った補助光を投光する必要がある。そのため、スレーブストロボ装置４から補助光を発光することによってピントを合わせるためのＡＦが可能になる。また、縦目ＡＦ測距点を用いてＡＦを行う場合には、縦縞パターンを持った補助光を投光する必要があるため、スレーブストロボ装置３から補助光を発光することによってＡＦが可能になる。
【００２５】
図１（ｃ）に示す例では、スレーブストロボ装置３が図１（ａ）ような通常の設置状態である縦位置状態（第１の姿勢状態の一例）とは異なり横位置状態（第２の姿勢状態の一例）に設置される点を除けば構成は図１（ａ）に示す例と同じである。なお、スレーブストロボ装置３は設置台６０４に代えてブラケット６１４によって垂直の柱に取り付けられている。
【００２６】
図１（ｃ）に示す例では、スレーブストロボ装置３は縦縞パターンの補助光を投光するが、スレーブストロボ装置３から投光される縦縞パターンの補助光が被写体７に対して横縞パターンを持った補助光５Ａとして振る舞う。
【００２７】
そのため、縦目ＡＦ測距点を用いてＡＦを行う場合は横縞パターンを持った補助光を投光する必要があるためＡＦを行うことができるが、横目ＡＦ測距点を用いてＡＦを行う場合は縦縞パターンを持った補助光を投光する必要があるためＡＦを行うことが困難である。
【００２８】
＜カメラ側の構成＞
次に、カメラ１とストロボ装置２の構成について、図２を参照して説明する。図２は、図１中のカメラ１とストロボ装置２の構成を示す図である。
【００２９】
カメラ１は、主ミラー１０２、ピント板１０３、ファインダ光路変更用のペンタプリズム１０４、接眼レンズ１０５、結像レンズ１０６、及び測光センサ１０７を有している。
【００３０】
主ミラー１０２は、ファインダ観察状態では、撮影光路内に斜設され、撮影状態では撮影光路外に退避する。また、主ミラー１０２はハーフミラーとなっており、撮影光路内に斜設されているときは、後述する焦点検出光学系に被写体からの光線の約半分を透過させる。ピント板１０３は、レンズユニット２００の予定結像面に配置され、ファインダ光学系の一部を構成する部材である。撮影者は、接眼レンズ１０５の後方にある窓からピント板１０３を観察することで、撮像画面を観察することができる。結像レンズ１０６は、ペンタプリズム１０４内の反射光路を介してピント板１０３と測光センサ１０７とを共役に関係付けている。測光センサ１０７は、撮像画面内の被写体輝度を測定するためのセンサである。
【００３１】
カメラ１は、さらに、撮像素子１０９、サブミラー１２５、焦点検出ユニット１２６、及びレンズマウント接点群２１０を有している。
【００３２】
撮像素子１０９は、ＣＣＤやＣＭＯＳ等が用いられる。サブミラー１２５は、主ミラー１０２と同様に、ファインダ観察状態では撮影光路内に斜設され、撮影状態では撮影光路外に退避する。このサブミラー１２５は、斜設された主ミラー１０２を透過した光線を下方に折り曲げて、後述の焦点検出ユニット１２６の方に導く。焦点検出ユニット１２６（焦点調節装置の一例）は、位相差検出方式によってレンズユニット２００の焦点調節状態を検出し、その検出結果はレンズユニット２００の焦点調節機構を制御するカメラマイコン４００（図４参照）に送られる。レンズマウント接点群２１０は、カメラ１とレンズユニット２００との通信インターフェイスとなる。
【００３３】
次に、レンズユニット２００の構成について説明する。
【００３４】
図２に示すように、レンズユニット２００は、レンズ２０２〜２０４と絞り２０５を備えている。１群レンズ２０２は光軸上を前後に移動することで、撮像画面のピント位置を調整するフォーカスレンズである。２群レンズ２０３は光軸上を前後に移動することでレンズユニット２００の焦点距離を変更し、撮影画面の変倍を行うズームレンズである。３群レンズ２０４は固定レンズである。
【００３５】
レンズユニット２００は、さらにフォーカス駆動モータ２０６及び絞り駆動モータ２０７を備えている。フォーカス駆動モータ２０６は、フォーカスレンズである１群レンズ２０２を光軸方向に移動させる。つまり、フォーカス駆動モータ２０６は、１群レンズ２０２を前後に移動させることで、撮像する被写体の焦点を合わせるための焦点調節装置の駆動手段として機能する。また、絞り駆動モータ２０７は、絞り２０５の開口径を変化させるように絞り２０５を駆動する。これらフォーカス駆動モータ２０６及び絞り駆動モータ２０７は、レンズユニット２００内に設けられたレンズマイコン（不図示）がカメラマイコン４００の指示を受け駆動するようになっている。
【００３６】
次に、ストロボ装置２の構成について説明する。
【００３７】
ストロボ装置２は、カメラ１に着脱可能であり、キセノン管３０１、フレネルレンズ３０２、及び反射板３０３を有し、カメラ１からの信号に従ってキセノン管３０１の発光制御を行う。キセノン管３０１は、電流エネルギーを発光エネルギーに変換する。フレネルレンズ３０２、及び反射板３０３は、それぞれ発光エネルギーを効率良く被写体に向けて集光する役目を持つ。
【００３８】
また、ストロボ装置２は、カメラ１とストロボ装置２との通信インターフェイスとなるストロボ接点群３０９を備えている。
【００３９】
＜カメラとストロボ装置の回路構成＞
次に、カメラ１とストロボ装置２の回路構成について、図３を参照して説明する。図３は、カメラ１とストロボ装置２の回路構成を示す図である。
【００４０】
カメラ１は、カメラマイコン４００、無線通信ユニット４０１、モータ制御回路４０３、及びシャッタ制御回路４０４を備えている。
【００４１】
カメラマイコン４００は、ストロボ接点群３０９を介して、ストロボ装置２内に設けられたストロボマイコン５００と信号の伝達を行う。無線通信ユニット４０１は、後述するスレーブストロボ装置と双方向に通信するためのＲＦ発生回路であり、アンテナ４０２に接続されている。
【００４２】
カメラ１からスレーブストロボ装置に通信される内容は、カメラ１の縦位置／横位置情報や、ストロボ発光信号である。また、スレーブストロボ装置からカメラ１に通信される補助光パターンに関する情報の内容は、次のようなものである。即ち、スレーブストロボ装置が縦位置／横位置のいずれであるかを示す姿勢状態情報や、スレーブストロボ装置が発光するＡＦ補助光のパターンについて縦縞パターンを持った補助光であるか横縞パターンを持った補助光であるかを示す投光パターン情報である。
【００４３】
シャッタ制御回路４０４は、カメラマイコン１００からの信号に従ってシャッタ先幕駆動マグネットＭＧ−１及びシャッタ後幕駆動マグネットＭＧ−２の通電制御を行う。そして、先幕及び後幕を走行させ、露出動作を行う。
【００４４】
モータ制御回路４０３は、カメラマイコン４００からの信号に従ってモータを制御することにより、主ミラー１０２のアップダウン及びシャッタチャージなどを行う。
【００４５】
カメラ１は、さらに液晶表示部４０５及びカメラ１の姿勢検出装置４０６（第１の姿勢検出手段）を備えている。液晶表示部４０５は、カメラマイコン４００からの信号に従って表示を行う。姿勢検出装置４０６は、カメラを通常撮影位置である横位置に構えると、カメラマイコン４００の入力ポートＨＩＮにロウレベルの信号が印加される。またカメラ１を縦位置に構えると、カメラマイコン４００の入力ポートＶＩＮにロウレベルの信号が印加される。姿勢検出装置４０６は、電気絶縁体であるガラス製の管の中に水銀のような流動可能な金属で構成することも可能であるし、また金属性のボールにようなもので、それぞれの位置で、位置が変化するようなものでも構成できる。図３の例では、ボール４０７で構成した例を示している。カメラ１は、入力ポートＨＩＮと入力ポートＶＩＮの何れにロウレベルの信号が印加されているかを読み取ることにより姿勢を検出し、処理を変えることが可能となる。
【００４６】
次に、ストロボ装置２の回路構成について説明する。
【００４７】
ストロボ装置２は、電源電池５０１、ＤＣ／ＤＣコンバータ５０２、メインコンデンサ５０３、抵抗５０４、５０５、トリガ発生回路５０６、キセノン管５０７、及びＩＧＢＴなどの発光制御回路５０８を備えている。
【００４８】
ＤＣ／ＤＣコンバータ５０２は、電池電圧を数１００Ｖに昇圧し、メインコンデンサ５０３は、発光エネルギーを蓄積する。抵抗５０４、５０５は、メインコンデンサ５０３の電圧を所定比に分圧する。
【００４９】
ストロボ装置２は、さらに、ストロボ装置２の発光時の発光量制御用のコンパレータ５０９と、積分測光回路５１０と、受光素子５１１を備えている。積分測光回路５１０は、受光素子５１１に流れる光電流を対数圧縮するとともにキセノン管５０７の発光量を圧縮積分するための回路であり、受光素子５１１は、キセノン管５０７から発せられた光を受光する素子である。
【００５０】
また、ストロボ装置２は、ストロボ装置２の動作を制御するストロボマイコン５００を備えている。ストロボマイコン５００の各端子について説明する。ＣＮＴ端子はＤＣ／ＤＣコンバータ５０２の充電を制御する。制御出力用の端子ＡＤは充電電圧を読み込むためのＡ／Ｄ変換入力用の端子であり、ＣＬＫ端子はカメラ１とシリアル通信を行うための同期クロック入力用の端子である。
【００５１】
また、ＤＯ端子は、同期クロックに同期してストロボ装置２からカメラ１にシリアルデータを転送するためのシリアル出力用の端子である。また、ＤＩ端子は、同期クロックに同期して、カメラ１からストロボ装置２にシリアルデータを受け取るためのシリアルデータ入力用の端子である。Ｘ端子はカメラ１からのストロボ発光指令が入力される端子である。ＤＡ端子はコンパレータ５０９のコンパレート電圧を出力するためのＤ／Ａ出力用の端子である。ＴＲＩＧ端子は発光トリガ信号の出力用の端子である。
【００５２】
＜スレーブストロボ装置の構成＞
図４（ａ）は、図１中のスレーブストロボ装置３の構造を示す模式図であり、図４（ｂ）は、図１中のスレーブストロボ装置４の構造を示す模式図である。
【００５３】
図４（ａ）に示すスレーブストロボ装置３は、ストロボの設置台６０４に着脱可能であり、キセノン管６０１、フレネルレンズ６０２、及び反射板６０３を有し、カメラ１からの無線信号に従って、キセノン管６０１の発光制御を行う。スレーブストロボ装置３はさらにＡＦ補助光発光部６０５を備えている。ＡＦ補助光発光部６０５は、縦縞パターンを持った補助光６０６を投光する。
【００５４】
図４（ｂ）に示すスレーブストロボ装置４は、スレーブストロボ装置３と同様に、キセノン管７０１、フレネルレンズ７０２、反射板７０３、及びストロボの設置台７０４を有し、カメラ１からの無線信号に従って、キセノン管７０１の発光制御を行う。スレーブストロボ装置４はさらにＡＦ補助光発光部７０５を備えている。ＡＦ補助光発光部７０５は、横縞パターンを持った補助光７０６を投光する。
【００５５】
図５は、スレーブストロボ装置３及び４に共通する回路構成を示す図であり、図３のストロボ装置２と共通する要素には同一の符号を付し、その説明を省略する。
【００５６】
スレーブストロボ装置３及び４は、図３に示したストロボ装置２の構成の他に、ＡＦ補助光の発光源としての発光ダイオード８１３と、発光ダイオード８１３を駆動するための駆動装置８１２と、フィルタ８１４とを備えている。即ち、発光ダイオード８１３は、駆動装置８１２から、発光のために必要な一定電流駆動を受けて発光する。そして、発光ダイオード８１３で発光した光は、フィルタ８１４を通して所定の投光パターンで照射される。
【００５７】
スレーブストロボ装置３は、縦縞パターンを持った補助光を投光するため、フィルタ８１４には縦縞パターンが印刷され投影される構造になっている。スレーブストロボ装置４は、横縞パターンを持った補助光を投光するため、フィルタ８１４には横縞パターンが印刷され投影される構造になっている。
【００５８】
また、スレーブストロボ装置３及び４のストロボマイコン８００には、図３の４０６で説明したのと同様の姿勢検出装置８１７（第２の姿勢検出手段）が接続されている。スレーブストロボ装置３，４を通常撮影位置である縦に構えると、ストロボマイコン８００の入力ポートＶＩＮにロウレベルの信号が印加される。一方、スレーブストロボ装置３，４を横位置に構えると、ストロボマイコン８００の入力ポートＨＩＮにロウレベルの信号が印加される。
【００５９】
スレーブストロボ装置３及び４は、入力ポートＨＩＮと入力ポートＶＩＮの何れにロウレベルの信号が印加されているかを読み取ることにより姿勢を検出し、処理を変えることが可能となる。
【００６０】
また、スレーブストロボ装置３及び４は、カメラ１との無線通信を行うための無線通信ユニット８１５を備えている。無線通信ユニット８１５には、アンテナ８１６が接続されている。
【００６１】
＜測距点の位置＞
図６は、撮像画面に対する測距点の位置を示す図である。図６に示すように、ＡＦ測距点は、画面の中央に１点、中央の左右にそれぞれ１点、中央の上下にそれぞれ１点の合計５点存在し、また各々測距点は、縦目ＡＦ測距点と横目ＡＦ測距点を持っている。横目ＡＦ測距点とは、横方向（第１の方向）のラインセンサからなり縦方向のパターン検出を行う第１の焦点検出領域である。縦目ＡＦ測距点とは、縦方向（第１の方向と直交する第２の方向）のラインセンサからなり横方向のパターン検出を行う第２の焦点検出領域である。
【００６２】
具体的には、図中の３１は中央ＡＦ測距点のうちの縦目ＡＦ測距点、３２は中央ＡＦ測距点のうちの横目ＡＦ測距点、３３は右ＡＦ測距点のうちの縦目ＡＦ測距点、３４は右ＡＦ測距点のうちの横目ＡＦ測距点、３５は左ＡＦ測距点のうちの縦目ＡＦ測距点である。また、図中の３６は左ＡＦ測距点のうちの横目ＡＦ測距点、３７は上ＡＦ測距点のうちの縦目ＡＦ測距点、３８は上ＡＦ測距点のうちの横目ＡＦ測距点、３９は下ＡＦ測距点のうちの縦目ＡＦ測距点、４０は下ＡＦ測距点のうちの横目ＡＦ測距点である。
【００６３】
このように、ＡＦ測距点としては、縦目ＡＦ測距点が５点（３１、３３、３５、３７，３９）あり、横目ＡＦ測距点が５点（３２、３４、３６、３８，４０）ある。
【００６４】
カメラ１を横位置（通常撮影位置）に構えて撮影する際に、図１（ａ）で説明したように縦目測距点を用いてＡＦをするときには横縞パターンを持った補助光を投光する。横目測距点を用いてＡＦをするときには縦縞パターンを持った補助光を投光する。カメラを縦位置に構えて撮影するときは、図１（ｂ）で説明したように縦目測距点を用いてＡＦをするときには縦縞パターンを持った補助光を投光する。横目測距点を用いてＡＦをするときには横縞パターンを持った補助光を投光する。
【００６５】
なお、図６のように縦目ＡＦ測距点と横目ＡＦ測距点は撮像画面内の同じ位置に設けられていなくてもよく、撮像画面の中央付近では縦目ＡＦ測距点と横目ＡＦ測距点を同じ位置に設け、周辺部では縦目ＡＦ測距点と横目ＡＦ測距点のいずれか一方だけにしてもよい。
【００６６】
＜撮影システムの動作＞
次に、以上のように構成された撮影システムにおける動作について、図７〜図９を参照して説明する。
【００６７】
（Ａ）スレーブストロボ装置の動作
まず本実施の形態に係るスレーブストロボ装置の動作について図７を参照して説明する。
【００６８】
図７（ａ）は、第１の実施の形態に係わるスレーブストロボ装置の動作を示すフローチャートであり、スレーブストロボ装置が縦位置であるか横位置であるかの姿勢状態情報をカメラ１に伝達する場合の動作フローを示している。
【００６９】
ストロボマイコン８００は、ステップＳ５００において、スレーブストロボ装置３自身の設置状態が縦位置（通常撮影位置）であるか横位置であるかの姿勢検出を姿勢検出装置８１７で行う。次に、ストロボマイコン８００は、ステップＳ５０１において、前記ステップＳ５００で検出した姿勢状態情報を無線通信ユニット８１５を介してカメラ１に対して送信する。
【００７０】
図７（ｂ）は、ストロボマイコン８００によるＡＦ補助光のパターンを示す投光パターン情報を伝達する場合の動作フローを示している。
【００７１】
ストロボマイコン８００は、まずステップＳ３００において、自身が投光するＡＦ補助光のパターンが縦縞パターンであるか横縞パターンであるかを判別する。縦縞パターンである場合はステップＳ３０１へ進み、横縞パターンである場合はステップＳ３０２へ進む。
【００７２】
ステップＳ３０１では、カメラ１に対して、スレーブストロボ装置自身が縦縞パターンの補助光が投光できることを示す投光パターン情報を無線通信ユニット８１５を介して伝達する。ステップＳ３０２では、カメラ１に対して、スレーブストロボ装置自身が横縞パターンの補助光が投光できることを示す投光パターン情報を無線通信ユニット８１５を介して伝達する。
【００７３】
（Ｂ）カメラの動作
次に、本実施の形態に係るカメラ１の動作について、図８及び図９を参照して説明する。
【００７４】
図８は、第１の実施の形態に係るカメラ１の動作を示すフローチャートであり、カメラ１が通常撮影位置であることを姿勢検出装置４０６で検出した後の動作フローを示している。
【００７５】
カメラマイコン１００は、まずステップＳ１００において、スレーブストロボ装置３，４と無線通信ユニット４０１を介して通信し、これらスレーブストロボ装置からＡＦ補助光パターンに関する情報を取得する。即ち、スレーブストロボ装置３，４が縦位置／横位置のいずれであるかを示す姿勢状態情報、スレーブストロボ装置３，４のＡＦ補助光のパターンが縦縞パターンを持った補助光であるか横縞パターンを持った補助光であるかを示す投光パターン情報を取得する。
【００７６】
次のステップＳ１０１において、カメラマイコン１００は、ＡＦを行うかどうかを判断する。このとき、撮影者がＡＦ動作をスタートさせるためのボタンを押していたらＡＦを行うことになる。ＡＦを行う場合はステップＳ１０２へ進み、ＡＦを行わない場合は処理を終了する。
【００７７】
ステップＳ１０２では、カメラマイコン１００は、ＡＦ補助光が必要かどうかを、測光センサ１０７の測光結果や撮影者の指示などで判断する。測光センサ１０７の測光結果で判断する場合、撮像画面内の被写体輝度が暗い場合はＡＦ補助光が必要と判断する。必要な場合はステップＳ１０３へ進み、不必要な場合は処理を終了する。
【００７８】
ステップＳ１０３では、カメラマイコン１００は、現在のＡＦで使用しているＡＦ測距点が横目ＡＦ測距点であるか縦目ＡＦ測距点であるかを判断する。横目ＡＦ測距点である場合はステップＳ１０４へ進み、縦目ＡＦ測距点である場合はステップＳ１０５へ進む。
【００７９】
ステップＳ１０４では、ステップ１００で取得した補助光パターンに関する情報に基づいて、現在のＡＦ測距点に有効な補助光パターンを判断する。そして、有効な補助光パターンと判断された縦縞パターンの補助光を投光できるスレーブストロボ装置に対して無線通信ユニット４０１を介して補助光の発光指示を行う。この補助光発光信号を受けたスレーブストロボ装置は、縦縞パターンの補助光を被写体７に向けて投光することになる。なお、縦縞パターンの補助光を投光できるスレーブストロボ装置が複数ある場合には、すべてのスレーブストロボ装置に補助光発光信号を出力してもよいし、ひとつにだけ補助光発光信号を出力してもよい。
【００８０】
ステップＳ１０５では、ステップ１００で取得した補助光パターンに関する情報に基づいて、現在のＡＦ測距点に有効な補助光パターンを判断する。そして、有効な補助光パターンとして判断された横縞パターンの補助光を投光できるスレーブストロボ装置に対して無線通信ユニット４０１を介して補助光の発光指示を行う。この発光指示を受けたスレーブストロボ装置は、横縞パターンの補助光を被写体７に向けて投光することになる。
【００８１】
なお、図１（ｃ）に示すように、横縞パターンの補助光を投光できるスレーブストロボ装置が複数ある場合には、すべてのスレーブストロボ装置に発光指示を行ってもよいし、ひとつにだけ発光指示を行ってもよい。
【００８２】
また、スレーブストロボ装置の姿勢によっては、図１（ｃ）に示すように、複数のスレーブストロボ装置がすべて同じ補助光パターンになる場合も考えられる。そのような場合、Ｓ１０４およびＳ１０５の前に、カメラマイコン１００は、ステップ１００で取得した補助光パターンに関する情報に基づいて、所望する補助光パターンで補助光を投光可能なスレーブストロボ装置があるか否かを判断すればよい。そして、投光可能なスレーブストロボ装置がなければ、例えば、液晶表示部４０５に投光可能なスレーブストロボ装置がない旨を表示するなどして、警告を行うようにすればよい。
【００８３】
図９は、第１の実施の形態に係るカメラ１の動作を示すフローチャートであり、カメラ１が縦位置状態であることを姿勢検出装置４０６で検出した後の動作フローを示している。
【００８４】
カメラマイコン１００は、まずステップＳ２００からステップＳ２０３までの処理おいて、図８で説明したステップＳ１００からステップＳ１０３までの処理とそれぞれ同じ処理を行う。
【００８５】
ステップＳ２０３においては、カメラマイコン１００は、現在のＡＦで使用しているＡＦ測距点が横目ＡＦ測距点であるか縦目ＡＦ測距点であるかを判断する。そして横目ＡＦ測距点である場合はステップＳ２０４へ進み、縦目ＡＦ測距点である場合はステップＳ２０５へ進む。
【００８６】
ステップＳ２０４では、ステップ２００で取得した補助光パターンに関する情報に基づいて、現在のＡＦ測距点に有効な補助光パターンを判断する。そして、有効な補助光パターンと判断された横縞パターンの補助光を投光できるスレーブストロボ装置に対して無線通信ユニット４０１を介して補助光の発光指示を行う。この発光指示を受けたスレーブストロボ装置は、横縞パターンの補助光を被写体７に向けて投光することになる。
【００８７】
ステップＳ２０５では、ステップ２００で取得した補助光パターンに関する情報に基づいて、現在のＡＦ測距点に有効な補助光パターンを判断する。そして、有効な補助光パターンと判断された縦縞パターンの補助光を投光できるスレーブストロボ装置に対して無線通信ユニット４０１を介して補助光の発光指示を行う。この発光指示を受けたスレーブストロボ装置は、縦縞パターンの補助光を被写体７に向けて投光することになる。
【００８８】
以上のように、本実施の形態によれば、姿勢検出装置４０６で検出したカメラ１の姿勢に応じて、縦目ＡＦ測距点と横目ＡＦ測距点のそれぞれに対応する補助光パターンを変更してＡＦ補助光を投光している。  
【００８９】
これにより、カメラを縦位置で構えて撮影した場合であっても、スレーブストロボ装置から投光される補助光の縦／横縞パターンと、カメラの縦目／横目ＡＦ測距点との関係を自動的に補正することができ、補助光投光時のＡＦを良好に行うことができる。即ち、スレーブストロボ装置側の補助光の中から、カメラが使用するＡＦ測距点に最適なものを選び、カメラを横位置／縦位置状態にしたときにも自動対応させることが可能となる。
【００９０】
なお、本実施の形態では、スレーブストロボ装置から取得した補助光パターンに関する情報に基づいて、カメラマイコン４００がスレーブストロボ装置から投光されるＡＦ補助光のパターンの向きを判断したが、ストロボマイコン５００で判断しても構わない。ストロボマイコン５００で判断する場合、それぞれのスレーブストロボ装置が補助光パターンに関する情報として判断結果を無線通信ユニット８１５を介してカメラ１に伝達するようにしてもよい。
【００９１】
また、本実施の形態のように、カメラ側とスレーブストロボ装置側の両方で横位置／縦位置状態を判断するための姿勢検出を行わずに、いずれか一方のみで姿勢検出を行うようにしてもよい。カメラ側のみで姿勢検出を行う場合、スレーブストロボ装置は投光パターン情報をカメラに送信し、カメラはスレーブストロボ装置が通常撮影位置であると想定して投光パターン情報に基づいてＡＦ補助光を投光させるスレーブストロボ装置を選択すればよい。一方、スレーブ装置側のみで姿勢検出を行う場合、カメラは自身の姿勢が通常撮影位置であると想定してスレーブストロボ装置から受信した補助光パターンに関する情報に基づいてＡＦ補助光を投光させるスレーブストロボ装置を選択すればよい。
【００９２】
［他の実施の形態］
本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出す処理である。
【００９３】
この場合、記憶媒体から読み出されたプログラムコード自体が前述した実施の形態の機能を実現することになり、そのプログラムコード及び該プログラムコードを記憶した記憶媒体は本発明を構成することになる。
【００９４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしてもよい。
【００９５】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００９６】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【符号の説明】
【００９７】
１  カメラ
２  ストロボ装置
３，４  スレーブストロボ装置
１２６  焦点検出ユニット
２０２  １群レンズ
２０６  フォーカス駆動モータ
４００  カメラマイコン
４０１，８１５  無線通信ユニット
４０６，８１７  姿勢検出装置
５００  ストロボマイコン
【図１ａ】
2010286766.tif 000003
【図１ｂ】
2010286766.tif 000004
【図１ｃ】
2010286766.tif 000005
【図２】
2010286766.tif 000006
【図３】
2010286766.tif 000007
【図４ａ】
2010286766.tif 000008
【図４ｂ】
2010286766.tif 000009
【図５】
2010286766.tif 000010
【図６】
2010286766.tif 000011
【図７ａ】
2010286766.tif 000012
【図７ｂ】
2010286766.tif 000013
【図８】
2010286766.tif 000014
【図９】
2010286766.tif 000015